(57)【要約】  【課題】  背面出し状態と卓埋め状態との切替作業を容易にできる卓上電子装置を提供する。  【解決手段】  卓上電子装置である卓上マイクユニット１は、本体であるベース部３を備えている。ベース部３にはコネクタ１３が設けられている。コネクタ１３は、ベース部３の後方を向く後方接続位置Ａと下方を向く下方接続位置Ｂとへ回動可能に支持されている。また、凹部１５内でコネクタ１３を後方接続位置Ａと前記下方接続位置Ｂの間の中間位置に保持するように中間位置保持手段が設けられている。【選択図】  図１
2005354482.tif 000002
【特許請求の範囲】
【請求項１】
卓上に設置可能に設けられた本体と、
外部のケーブルが接続されるべきコネクタと、
前記コネクタを、前記本体の後方を向く後方接続位置と下方を向く下方接続位置との間を回動可能に支持する回動支持機構と、
を備えたことを特徴とする卓上電子装置。
【請求項２】
前記本体の後側の下部に凹部が設けられており、前記コネクタが前記凹部の中に備えられていることを特徴とする請求項１に記載の卓上電子装置。
【請求項３】
前記凹部内で前記コネクタを前記後方接続位置と前記下方接続位置との間の中間位置に保持する中間位置保持手段を備えたことを特徴とする請求項２に記載の卓上電子装置。
【請求項４】
前記コネクタの回動範囲を、前記コネクタに連結される相手コネクタが前記凹部の壁面に接しない範囲に制限するストッパ手段を備えたことを特徴とする請求項２または３に記載の卓上電子装置。
【発明の詳細な説明】
【技術分野】
【０００１】
本発明は、ケーブルが接続されるコネクタを備えた卓上電子装置に関する。卓上電子装置は例えば卓上マイクユニットである。
【背景技術】
【０００２】
従来の卓上電子装置としては、例えば、卓上マイクユニットが挙げられる。卓上マイクユニットは、テーブル等の上に置かれるマイクであり、講演および会議等で使われる。従来の卓上マイクユニットには、ケーブルの取り回しに関連して背面出しタイプと卓埋めタイプが知られている。
【０００３】
背面出しタイプでは、ケーブルがマイクユニットの背面に接続され、テーブル上を這うように配置される。一方、卓埋めタイプでは、ケーブルがマイクユニットの下面に接続され、テーブル等の穴を通して下方に導かれる。
【０００４】
また、従来、背面出しタイプと卓埋めタイプの両方の機能をもった卓上マイクユニットも提案されている（特許文献１参照）。従来技術のマイクユニットでは、ベース部の上にポールが突き出ている。ポール支持部材の背面からコネクタケーブルが外に出ており、コネクタケーブルの先にコネクタが取り付けられている。さらに、ベース部には、比較的大きな穴が開いている。この従来技術では、コネクタケーブルがベース部の上に配置されているときは、背面出しタイプとしてマイクユニットを使える。そして、ベース部の穴を通してコネクタケーブルを下方に引き出すと、卓埋めタイプとしてマイクユニットを使える。
【特許文献１】実用新案登録第３０１７０３４号公報（第７−９ページ、図１）
【発明の開示】
【発明が解決しようとする課題】
【０００５】
しかしながら、従来の卓上電子装置は、背面出し状態と卓埋め状態との切替え作業において、ケーブルを屈曲させて、ベース部の穴を通して引き出す作業を必要とし、そのため、作業が繁雑であるという問題があった。
【０００６】
本発明は、従来の問題を解決するためになされたもので、背面出し状態と卓埋め状態との切替え作業が容易な卓上電子装置を提供することを目的とする。
【課題を解決するための手段】
【０００７】
本発明の卓上電子装置は、卓上に設置可能に設けられた本体と、外部のケーブルが接続されるべきコネクタと、前記コネクタを、前記本体の後方を向く後方接続位置と下方を向く下方接続位置とへ回動可能に支持する回動支持機構と、を備えている。
【０００８】
この構成により、コネクタを後方接続位置に回動すると背面出し状態になり、また、コネクタを下方接続位置に移動すると卓埋め状態になるので、背面出し状態と卓埋め状態との切替作業が容易になる。
【０００９】
また、本発明の卓上電子装置では、前記本体の後側の下部に凹部が設けられており、前記コネクタが前記凹部の中に備えられている。この構成により、コネクタ部分の露出が少なくなり、外観面で有利である。
【００１０】
また、本発明のの卓上電子装置は、前記凹部内で前記コネクタを前記後方接続位置と前記下方接続位置との間の中間位置に保持する中間位置保持手段を備えている。この構成により、コネクタを中間位置に保持することができ、コネクタに相手コネクタを容易に脱着できる。コネクタが後方接続位置および下方接続位置の一方または両方にあるときに相手コネクタと凹部の壁面が近接してもよくなり、凹部をコンパクトにでき、コネクタ部分を省スペース化できる。これにより、本体全体もコンパクトにでき、装置の小型化が可能となる。
【００１１】
また、本発明の卓上電子装置は、前記コネクタの回動範囲を、前記コネクタに連結される相手コネクタが前記凹部の壁面に接しない範囲に制限するストッパ手段を備えている。この構成により、相手コネクタおよびケーブルへの負荷を軽減できる。
【発明の効果】
【００１２】
上記のように、本発明は、コネクタを装置本体に回動可能に支持する構成を設けたことにより、背面出し状態と卓埋め状態との切替作業が容易になるという効果を有する卓上電子装置を提供することができる。
【発明を実施するための最良の形態】
【００１３】
以下、本発明の実施の形態の卓上電子装置について、図面を用いて説明する。本実施の形態では、卓上電子装置が卓上マイクユニットである。
【００１４】
本発明の実施の形態の卓上マイクユニットを図１に示す。図１において、卓上マイクユニット１は、ベース部３を備えており、ベース部３の上にマイクポール５が立てられており、マイクポール５の先端にマイク７（図４参照）が備えられている。マイクポール５の両端はフレキシブルな構造を有している。
【００１５】
ベース部３は卓上マイクユニット１の本体に相当しており、下面に突起タイプの足を備えており、卓上に設置可能に構成されている。ベース部３は、下ケース９と上ケース１１からなる２分割構造の筐体を有している。ベース部３には、回路基板およびスピーカが備えられている。また、ベース部３の側面には、ボリュームつまみおよびイヤホンソケットが設けられている。
【００１６】
図２の背面図に示されるように、ベース部３には、ケーブルを接続するためのコネクタ１３が備えられている。図示のように、２つの丸形のコネクタ１３が横に並んで設けられており、これらコネクタ１３はタイプが異なっている。また、これらコネクタ１３は、ベース部３の後側の下部に設けられたコネクタ用凹部１５の中に備えられており、コネクタ用凹部１５内で外に露出している。
【００１７】
図１では、コネクタ１３が、相手コネクタ１７と共に２点鎖線で示されている。相手コネクタ１７はケーブル１９に取り付けられている。
【００１８】
本実施の形態では、コネクタ１３が、横方向の軸２１を中心として、後方接続位置（角度）Ａと下方接続位置（角度）Ｂとに回動可能に設けられている。コネクタ１３が後方接続位置Ａにあるとき、コネクタ１３がベース部３の後方を向いている。そして、後方接続位置Ａのコネクタ１３にケーブル１９が接続されると、卓上マイクユニット１が背面出し状態になる。また、コネクタ１３が下方接続位置Ｂにあるとき、コネクタ１３がベース部３の下方を向いている。そして、下方接続位置Ｂのコネクタ１３にケーブル１９が接続されると、卓上マイクユニット１が卓埋め状態になる。
【００１９】
前出の図２の背面図は、コネクタ１３が後方接続位置Ａにある状態を示しており、コネクタ１３が後方を向いている。また、図３の底面図は、コネクタ１３が下方接続位置Ｂにある状態を示しており、コネクタ１３が下方を向いている。また、コネクタ１３が下方接続位置Ｂにあるときは、図４の側面図および図５の平面図に示されるように、ベース部３のコネクタ用凹部１５にキャップ２３が取り付けられる。これにより、コネクタ用凹部１５の中が隠される。
【００２０】
また、図６は、卓上マイクユニット１の正面図である。図６には、ベース部３の前面上部のスピーカ２５が示されている。
【００２１】
図７は、コネクタ１３に関連する構成の分解斜視図である。コネクタ１３は、コネクタケース３１にナット３３で取り付けられている。コネクタケース３１は２つの軸受金具３５で挟まれており、軸受金具３５が下ケース９にねじ３７で取り付けられている。そして、コネクタケース３１は軸受金具３５に段付きねじ３９で取り付けられている。段付きねじ３９が軸として機能し、コネクタケース３１がコネクタ１３と共に回動する。コネクタケース３１は、下ケース３のコネクタ用凹部１５の底部に設けられた開口４１に嵌り込んでおり、これにより、コネクタ１３がコネクタ用凹部１５の中に位置している。
【００２２】
コネクタケース３１の両端には、トグル式のロック機構４３が備えられている。ロック機構４３は、ロックプレート４５と板ばね４７で構成されている。ロックプレート４５はコネクタケース３１に一体化されている。また、板ばね４７は下ケース９に撓み可能に保持されている。
【００２３】
図８はロック機構４３を示している。ロックプレート４５の縁の３カ所にロック凹部５１、５３、５５が設けられている。一方、板ばね４７にはロック凸部５７が設けられている。ロック機構４３は、板ばね４７のロック凸部５７がロックプレート４５のロック凹部５１、５３、５５のいずれかに嵌った位置で保持される。
【００２４】
このように、ロック機構４３では、３つのロック凹部５１、５３、５５により３つのロック位置が設定されている。ロック凹部５１は、コネクタ１３の後方接続位置Ａに対応している。また、ロック凹部５５は、コネクタ１３の下方接続位置Ｂに対応している。ロック凹部５３は、ロック凹部５１とロック凹部５５の中間にあり、下記のように、後方接続位置Ａと下方接続位置Ｂの間の中間位置Ｍに対応している。
【００２５】
図９〜図１１は、ロック機構４３とコネクタ方向の関係を示している。図９に示すように、ロック機構４３のロック凹部５１に板ばね４７のロック凹部５７が係合しているとき、コネクタ１３は後方接続位置Ａに保持される。また、図１０に示すように、ロック凹部５３にロック凸部５７が係合しているとき、コネクタ１３は中間位置Ｍに保持される。さらに、図１１に示すように、ロック凹部５５にロック凹部５７が係合しているとき、コネクタ１３が下方接続位置Ｂに保持される。
【００２６】
ここで、図９〜図１１に示されるように、本実施の形態では、コネクタ用凹部１５が比較的小さい。そのため、コネクタ１３が後方接続位置Ａおよび下方接続位置Ｂにあるときは、相手コネクタ１７をもつ指がコネクタ用凹部１５の壁面に干渉し、したがって、ケーブル１９の装着作業が容易でない。これに対して、コネクタ１３が中間位置Ｍにあるときは、相手コネクタ１７からコネクタ用凹部１５の壁面までの隙間が大きく、したがって、指の挿入が容易であり、ケーブル１９の脱着作業も容易である。
【００２７】
図１２は、卓上マイクユニット１を下方から見た斜視図である。図１２にはストッパ６１が示されている。ストッパ６１は、コネクタケース３１の表面に設けられた凸部である。そして、ストッパ６１は、２つのコネクタ１３の間に設けられている。
【００２８】
図１３および図１４は、ストッパ１３を通る断面図である。図１３では、コネクタ１３が後方接続位置Ａにあり、図１４ではコネクタ１３が下方接続位置Ｂにある。図１３および図１４は、それぞれ、ストッパ６１の後側端部６３および前側端部６５の位置を示している。
【００２９】
すなわち、図１３に示されるように、ストッパ６１の後側端部６３の位置は、コネクタ１３が後方接続位置Ａにあるときに後側端部６３がコネクタ用凹部１５の後側壁面６７に突き当たるように設定されている。これにより、コネクタ１３が後方に回動したときに、相手コネクタ１７よりも先に後側端部６３がコネクタ用凹部１５の壁面６７に突き当たる。
【００３０】
また、図１４に示されるように、ストッパ６１の前側端部６５の位置は、コネクタ１３が下方接続位置Ｂにあるときに前側端部６５がコネクタ用凹部１５の前側壁面６９に突き当たるように設定されている。これにより、コネクタ１３が後方に回動したときに、相手コネクタ１７よりも先に前側端部５３がコネクタ用凹部１５の前側壁面６９に突き当たる。
【００３１】
以上に本実施の形態の卓上マイクユニット１の構成を説明した。次に、ケーブル取付作業時の卓上マイクユニット１の動作について説明する。
【００３２】
まず、背面出し状態で卓上マイクユニット１を使うときのケーブル取付作業について説明する。この場合、コネクタ１３が回動されて、中間位置Ｍに配置される。そして、ケーブル１９がコネクタ１３に接続される。このとき、相手コネクタ１７が指でつままれて、コネクタ用凹部１５に挿入される。そして、相手コネクタ１７の外周のリングをスライドさせた状態で、相手コネクタ１７とコネクタ１３とが嵌合され、リングが離される。これにより、両コネクタ１３、１７がロックされる。
【００３３】
それから、コネクタ１３が中間位置Ｍから後方接続位置Ａに回動される。このとき、ロック機構４３は図１０の状態から図９の状態へ移行する。すなわち、板ばね４７が撓み、板ばね４７のロック凸部５７がロックプレート４５のロック凹部５３から外れる。そして、ロックプレート４５が回動し、ロック凸部５７は次のロック凹部５１に嵌り込み、これによりコネクタ１３が後方接続位置Ａに保持される。
【００３４】
以上が、背面出し状態で卓上マイクユニット１を使うときのケーブル取付作業である。上記のように、本実施の形態では、コネクタ１３を回動できるので、作業が簡単である。また、ケーブル装着時、コネクタ１３が中間位置Ｍに配置されており、周囲の隙間が大きいので、この点でも作業が容易である。
【００３５】
また、上記の作業において、コネクタ１３を後方に強く回したとしても、相手コネクタ１７よりも先にストッパ６１がコネクタ用凹部１５の後側の壁面に当たるので、ケーブル１９へ無理な力が加わるのを回避できる。
【００３６】
次に、卓埋め状態で卓上マイクユニット１を使うときのケーブル取付作業について説明する。この場合、予め、ケーブル１９がテーブル等の穴に通されて、テーブル等の上面に引き出されている。そして、上述の背面出しの作業と同様に、中間位置Ｍのコネクタ１３にケーブル１９が接続される。
【００３７】
それから、コネクタ１３が中間位置Ｍから下方接続位置Ｂへ回される。このとき、ロック機構４３は図１０の状態から図１１の状態へ移行する。板ばね４７が撓み、板ばね４７のロック凸部５７がロックプレート４５のロック凹部５３から、ロック凹部５５に移動し、これによりコネクタ１３が下方接続位置Ｂに保持される。
【００３８】
以上が、卓埋め状態で卓上マイクユニット１を使うときのケーブル取付作業である。この作業でも、コネクタ１３を回動できるので、作業が簡単である。また、ケーブル装着時も、周囲の隙間が大きいので作業が容易である。また、この作業でも、ストッパ６１の機能により、ケーブル１９へ無理な力が加わるのを回避できる。
【００３９】
次に、背面出し状態のケーブル１９を取り外す作業を説明する。この場合、まず、コネクタ１３が後方接続位置Ａから中間位置Ｍまで回動される。ロック機構４３は図９の状態から図１０の状態へ移行する。すなわち、板ばね４７が撓み、板ばね４７のロック凸部５７がロック凹部５１から、ロック凹部５３に移動し、これによりコネクタ１３が中間位置Ｍに保持される。
【００４０】
そして、相手コネクタ１７がコネクタ１３から外される。このとき、相手コネクタ１７が指でつままれて、外周のリングをスライドされる。これによりコネクタ間のロックが解除される。そして、相手コネクタ１７がコネクタ１３から離される。
【００４１】
以上が、背面出し状態でケーブル１９を取り外す作業である。この作業でも、コネクタ１３を回動できるので、作業が簡単である。また、ケーブル取外時も、中間位置Ｍでのコネクタ周囲の隙間が大きいので、作業が容易である。
【００４２】
次に、卓埋め状態のケーブル１９を取り外す作業を説明する。この場合、まず、コネクタ１３が下方接続位置Ｂから中間位置Ｍまで回される。ロック機構４３は図１１の状態から図１０の状態へ移行する。板ばね４７が撓み、板ばね４７のロック凸部５７がロック凹部５５から、ロック凹部５３に移動し、これによりコネクタ１３が中間位置Ｍに保持される。そして、背面出し状態での作業と同様にして、相手コネクタ１７がコネクタ１３から外される。
【００４３】
以上が、卓埋め状態でケーブル１９を取り外す作業である。この作業でも、コネクタ１３を回動できるので、作業が簡単である。また、ケーブル取外時も、中間位置Ｍでのコネクタ周囲の隙間が大きいので、作業が容易である。
【００４４】
次に、背面出し状態から卓埋め状態への切替作業について説明する。この場合、上述の背面出しのケーブル取外し作業を行い、続いて、卓埋めのケーブル取付作業を行えばよい。また、卓埋め状態から背面出し状態への切替作業では、上述の卓埋めのケーブル取外し作業を行い、続いて、背面出しのケーブル取付作業を行えばよい。
【００４５】
これらの切替作業では、コネクタ１３を回動すればよいので、作業が簡単である。また、ケーブル脱着時も、中間位置Ｍでのコネクタ周囲の隙間が大きいので、作業が容易である。
【００４６】
以上、本発明の実施の形態に係る卓上電子装置について説明した。本実施の形態によれば、コネクタ１３が回動可能に支持されており、コネクタ１３を後方接続位置Ａに回動すると背面出し状態になり、また、コネクタ１３を下方接続位置Ｂに移動すると卓埋め状態になるので、背面出し状態と卓埋め状態との切替作業が容易である。
【００４７】
また、本実施の形態によれば、上記のようにコネクタ１３が回転構造を有することで、省スペースにてコネクタを容易に脱着できる。
【００４８】
また、本実施の形態によれば、本体の後側の下部に設けられたコネクタ用凹部１５の中にコネクタ１３が備えられており、コネクタ部分の露出が少なくなり、外観面で有利である。
【００４９】
また、本実施の形態の卓上電子装置は、コネクタ用凹部１５内でコネクタ１３を後方接続位置Ａと下方接続位置Ｂの間の中間位置Ｍに保持する中間位置保持手段を備えている。これにより、コネクタ１３を中間位置Ｍに保持した状態で、コネクタ１３に相手コネクタ１７を容易に脱着できる。そして、上述したように、コネクタ１３が後方接続位置Ａおよび下方接続位置Ｂの一方または両方にあるときに相手コネクタ１７とコネクタ用凹部１５の壁面が近接してもよくなり、コネクタ用凹部１５を小さくでき、コネクタ部分の省スペース化ができる。これにより、装置本体全体もコンパクトにでき、装置の小型化が可能となる。
【００５０】
また、本実施の形態の卓上電子装置は、コネクタ１３の回動範囲を、コネクタ１３に連結される相手コネクタ１７がコネクタ用凹部１５の壁面に接しない範囲に制限するストッパ手段を備えており、これにより、相手コネクタ１７およびケーブル１９への負荷を軽減できる。
【００５１】
以上に本発明の好適な実施の形態を説明したが、本発明は上述の実施の形態に限定されず、当業者が本発明の範囲内で上述の実施の形態を変形可能なことはもちろんである。例えば、卓上電子装置が卓上マイクユニット以外の装置でもよい。
【産業上の利用可能性】
【００５２】
以上のように、本発明にかかる卓上電子装置は、背面出し状態と卓埋め状態との切替作業が容易になるという効果を有し、卓上マイクユニット等として有用である。
【図面の簡単な説明】
【００５３】
【図１】本発明の実施の形態における卓上マイクユニットの側面図
【図２】本発明の実施の形態における卓上マイクユニットの背面図
【図３】本発明の実施の形態における卓上マイクユニットの底面図
【図４】本発明の実施の形態における卓上マイクユニットの側面図
【図５】本発明の実施の形態における卓上マイクユニットの平面図
【図６】本発明の実施の形態における卓上マイクユニットの正面図
【図７】本発明の実施の形態における卓上マイクユニットの分解斜視図
【図８】コネクタのロック機構を示す図
【図９】本発明の実施の形態における卓上マイクユニットの断面図
【図１０】本発明の実施の形態における卓上マイクユニットの断面図
【図１１】本発明の実施の形態における卓上マイクユニットの断面図
【図１２】本発明の実施の形態における卓上マイクユニットを下方から見た斜視図
【図１３】本発明の実施の形態における卓上マイクユニットの断面図
【図１４】本発明の実施の形態における卓上マイクユニットの断面図
【符号の説明】
【００５４】
１  卓上マイクユニット
３  ベース部
５  マイクポール
７  マイク
９  下ケース
１１  上ケース
１３  コネクタ
１５  コネクタ用凹部
１７  相手コネクタ
１９  ケーブル
２１  軸
４３  ロック機構
４５  ロックプレート
４７  板ばね
６１  ストッパ
Ａ  後方接続位置
Ｂ  下方接続位置
Ｍ  中間位置
【図１】
2005354482.tif 000003
【図２】
2005354482.tif 000004
【図３】
2005354482.tif 000005
【図４】
2005354482.tif 000006
【図５】
2005354482.tif 000007
【図６】
2005354482.tif 000008
【図７】
2005354482.tif 000009
【図８】
2005354482.tif 000010
【図９】
2005354482.tif 000011
【図１０】
2005354482.tif 000012
【図１１】
2005354482.tif 000013
【図１２】
2005354482.tif 000014
【図１３】
2005354482.tif 000015
【図１４】
2005354482.tif 000016